【事件の表示】
　特許第６１２６４０２号発明「コンクリート養生シート」の特許異議申立事件について、次のとおり決定する。
【結　論】
　特許第６１２６４０２号の請求項１ないし３に係る特許を維持する。
【理　由】
第１　手続の経緯 
　特許第６１２６４０２号の請求項１〜３に係る特許についての出願は、平成２５年２月１２日の出願であって、平成２９年４月１４日付けでその特許権の設定登録がされ、その後、特許異議申立人狩野芳正（以下「申立人」という。）より請求項１〜３に対して特許異議の申立てがされたものである。
第２　特許異議の申立てについて 
１　請求項１〜３に係る発明 
　請求項１〜３に係る発明（以下、「本件発明１」等、あるいはまとめて「本件発明」という。）は、その特許請求の範囲の請求項１〜３に記載された、以下のとおりのものである。 
本件発明１ 
「【請求項１】
　保水層と、
　熱を反射する遮熱層とを有し、該保水層と遮熱層とが一体化され、
　上記遮熱層には、凹部が形成されていることを特徴とするコンクリート養生シート。」
本件発明２
「【請求項２】
　保水層と、
　熱を反射する遮熱層とを有し、該保水層と遮熱層とが一体化され、
　上記遮熱層には、凸部が形成されていることを特徴とするコンクリート養生シート。」
本件発明３
「【請求項３】
　請求項１または２に記載のコンクリート養生シートにおいて、
　上記保水層と上記遮熱層との間に、断熱層が設けられ、
　上記保水層、上記断熱層及び上記遮熱層が積層一体化されていることを特徴とするコンクリート養生シート。」
２　特許異議申立て理由の概要 
　請求項１〜３に係る特許に対しての特許異議申立て理由の要旨は、次のとおりである。 
（１）本件特許の請求項１〜３に係る発明は、本件特許の出願前日本国内において頒布された甲第１号証に記載された発明であって、特許法第２９条第１項第３号に該当し、特許を受けることができないから、その発明に係る特許は取り消すべきものである。
（２）本件特許の請求項１〜３に係る発明は、本件特許の出願前に頒布された甲第１号証及び甲第２号証に記載された発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。 
（３）本件の請求項１〜３に係る特許は、発明の詳細な説明の記載がその発明の属する技術の分野における通常の知識を有する者が実施することができる程度に明確かつ十分に記載されていないため、特許法第３６条第４項第１号に規定する要件を満たしておらず、その特許は取り消すべきものである。 
（４）本件の請求項１〜３に係る特許は、特許請求の範囲の記載が発明の詳細な説明に記載したものでないため、特許法第３６条第６項第１号に規定する要件を満たしておらず、その特許は取り消すべきものである。
（５）本件の請求項１〜３に係る特許は、特許請求の範囲の請求項１〜３の記載が明確でないため、特許法第３６条第６項第２号に規定する要件を満たしておらず、その特許は取り消すべきものである。
３　甲各号証の記載
　甲第１号証：川西貴士他３名、「高断熱性湿潤養生シート工法「アクアサーモ○Ｒ（決定注；原文は○の中にＲ）」」、大林組技術研究所報Ｎｏ．７６、２０１２
　甲第２号証：特開平６−２８５８３２号公報
　
（１）甲第１号証について
　ア　甲第１号証の記載事項  
　甲第１号証には、図面と共に次の事項が記載されている。 
　（ア）「マスコンクリートの施工においては、保温性と保湿性の両方の性能が求められ、今までは、養生対策を別々に施していたため効率が悪かった。」（１頁右欄４行〜６行）
　（イ）「そこで、保温性と保湿性の両方の性能を合理的に得る養生方法として、保温性を高めるために、輻射熱を反射するアルミ箔シートと空気層を挟むことのできる梱包用の気泡緩衝材を使用し、保湿性に優れる不織布と一体化させた養生シート・・・を考案した。・・・概要をＦｉｇ．１に示す。」（１頁右欄７行〜１２行）
　（ウ）Ｆｉｇ．１の右写真から、アルミ箔シートが波打っていることが看て取れる。
　イ　甲第１号証に記載された発明の認定 
　甲第１号証には、上記アを踏まえると、次の発明（以下「甲１発明」という。）が記載されていると認められる。 
　「保湿性に優れる不織布と、
　輯射熱を反射するアルミ箔シートを有し、
　不織布とアルミ箔シートとの間に、気泡緩衝材が設けられ、
　不織布、気泡緩衝材及びアルミ箔シートが一体化されており、
　アルミ箔シートが波打っている、コンクリート養生シート」
（２）甲第２号証について
　ア　甲第２号証の記載事項
　甲第２号証には、図面と共に次の事項が記載されている。 
　（ア）「【請求項１】  断熱部材及びこの断熱部材の周囲を被包する防水性シート部材を有する断熱用マットと、この断熱用マットの片面に設けられた湿潤用マットと、を含むことを特徴とするコンクリート養生用マット。
【請求項２】  請求項１において、前記断熱部材は繊維状あるいは小ブロック状の断熱材の集合体からなるコンクリート養生用マット。
【請求項３】  請求項１又は請求項２において、前記湿潤用マットは、保水部材と、該保水部材の周囲を被包する透水性シート部材とからなるコンクリート養生用マット。」
　（イ）「【００１４】断熱用マット１００は、長尺のマット状をなす断熱部材１０と、この断熱部材１０の外周を被包する袋状の防水性シート部材２０とから構成されている。また、湿潤用マット１１０は、保水部材６０と透水性シート部材７０とから構成されている。
【００１５】前記断熱部材１０を構成する材料としては、グラスウール、ポリウレタン，ポリスチレン，ポリプロピレン，ポリ塩化ビニル等の合成樹脂の発泡体（フォーム）を破砕した小ブロック体等を好適に用いることができる。この断熱部材１０の厚さは、断熱部材１０の断熱性によって異なるが、例えば断熱部材としてグラスウールを用いた場合には、２０〜１００ｍｍ程度が好ましい。
【００１６】前記防水性シート部材２０を構成する材料としては、ポリエチレン，ポリ塩化ビニル，ナイロン，ポリプロピレン等の合成樹脂を用いることができる。この防水性シート部材２０は、その機械的強度を大きくするためにシート内部に織布等の補強部材を有していてもよい。さらに、防水性シート部材２０の表面には断熱効果をより高めるために、アルミニウム等の金属を蒸着させておいてもよい。」
　（ウ）「【００１９】断熱用マット１００の大きさは特に限定されないが、作業性，搬出・輸送性、保管性等を考慮すると好ましくは２ｍ×３０ｍ、より好ましくは１ｍ×２０ｍ程度である。一方、湿潤用マット１１０は、断熱用マット１００と同等の大きさにしてあり、断熱用マット１００と湿潤用マット１１０とは、図示しない接着剤、両面テープ又はマジックテープ（商標）等により接合してある。この断熱用マット１００と湿潤用マット１１０との接合は、工場において行い、運搬し易いように、完成したコンクリート養生用マット１を巻き取って、コンクリート打設現場に運び、現場では、コンクリート養生用マット１を打設コンクリートの表面に拡げて敷く作業を行う。」
　（エ）「【００２２】このクリップ取付部４４は、他の部分より薄肉な帯状部分によって構成され、このようなクリップ取付部４４は、例えば所定間隔で縫製部３０を幅方向に形成することによって構成される。また、断熱用マット１００の両端には、防水性シート部材２０の端部を接着して構成されるマット取付部４０が設けられている。このマット取付部４０には、適宜数の取付孔４２が設けられている。この取付孔４２を介して紐様部材あるいはフック等によって断熱用マット１００を型枠その他の固定部材に固定することができる。」
　（オ）図３から、断熱用マット１００は凹部（薄肉な部分）又は凸部を有することが看て取れる。
　
　イ　甲第２号証に記載された発明の認定 
　甲第２号証には、上記アを踏まえると、申立人が主張するとおり、次の発明（以下「甲２発明」という。）が記載されていると認められる。 
　「保水部材と、該保水部材の周囲を被包する透水性シート部材とからなる湿潤用マットと、
　断熱部材及びこの断熱部材の周囲を被包する防水性シート部材を有する断熱用マットにおいて、
　表面に金属が蒸着された防水性シート部材と、を有し、
　前記湿潤用マットと前記断熱用マットとが一体化され、
　前記断熱用マットには、凹部又は凸部が形成されている、コンクリート養生用マット。」
４　特許法第２９条第１項第３号（新規性欠如違反）、第２９条第２項（進歩性欠如違反）について 
（１）本件発明１について
　ア　本件発明１と甲１発明の対比
　　本件発明１と甲１発明は、以下の相違点１で相違する。
＜相違点１＞
　「遮熱層」について、本件発明１は「凹部が形成されている」のに対し、甲１発明は「波打っている」点。
　イ　判断
　相違点１について検討するに、遮熱層そのものに凹部を設けることが、甲第１号証には記載されておらず、さらに甲第１号証の記載から自明な事項、あるいは記載されているに等しい事項ともいえないので、本件発明１と甲１発明は同一ではない。
　また、遮熱層そのものに凹部を設けることは周知慣用技術あるいは技術常識ということもできないから、甲１発明からアルミ箔シート（本件発明１の「遮熱層」に相当）そのものに凹部を設けることは、当業者が容易に想到しうる程度のこととはいえない。
　そして、甲第２号証には「断熱用マットには、凹部が形成されている」ことが開示されているものの、甲２発明の「金属が蒸着された防水性シート部材」（本件発明１の「遮熱層」に相当）そのものに凹部を設けることは記載されていないから、甲第２号証には相違点１に関する構成は開示されておらず、甲２発明を甲１発明に適用したとしても、本件発明１とすることはできない。
　申立人は、甲第１号証のＦｉｇ．１の右写真から「アルミ箔シートには気泡緩衝材に基づく凹部が形成されている」と認定しているが、当該写真からはアルミ箔シートそのものに凹部が形成されているとまでは看て取れないし、仮に気泡緩衝材に凹部が形成されていると看取できたとしても、気泡緩衝材は本件発明の断熱層に相当する部材であり遮熱層とはいえない。また、本件発明１において、本件請求項１における「遮熱層には、凹部が形成されている」との表現、及び本件明細書の「【００４５】 凹部３ａの形成方法としては、この実施形態では遮熱層３の表面を窪ませて遮熱層３に薄肉部分を形成し、この薄肉部分で凹部３ａを構成している。従って、遮熱層３の裏面（保水層２側の面）は平坦である。」の記載、並びに図面における凹部の断面図を参酌すると、本件発明１の凹部は遮熱層そのものに形成されると解することが自然である。
　よって、本件発明１は甲１発明ではなく、また、甲１発明において相違点１に係る本件発明１の構成にすることは、当業者が容易に想到し得ることではない。
　ウ　小括
　したがって、本件発明１は甲１発明ではなく、また、本件発明１は甲１発明、及び甲第２号証に記載された事項に基いて、当業者が容易に発明をすることができたものとはいえない。
（２）本件発明２について
　ア　本件発明２と甲１発明の対比
　　本件発明２と甲１発明は、以下の相違点２で相違する。
＜相違点２＞
　「遮熱層」について、本件発明２は「凸部が形成されている」のに対し、甲１発明は「波打っている」点。
　イ　判断
　相違点２について検討するに、遮熱層そのものに凸部を設けることが、甲第１号証には記載されておらず、甲第１号証の記載から自明な事項、あるいは記載されているに等しい事項ともいえないので、本件発明２と甲１発明は同一ではない。
　また、遮熱層そのものに凸部を設けることは周知慣用技術あるいは技術常識ということもできないから、甲１発明からアルミ箔シート（本件発明２の「遮熱層」に相当）そのものに凸部を設けることは、当業者が容易に想到しうる程度のこととはいえない。
　そして、甲第２号証には「断熱用マットには、凸部が形成されている」ことが開示されているものの、甲２発明の「金属が蒸着された防水性シート部材」（本件発明２の「遮熱層」に相当）そのものに凸部を設けることは記載されていないから、甲第２号証には相違点２に関する構成は開示されておらず、甲２発明を甲１発明に適用したとしても、本件発明２とすることはできない。
　申立人は、甲第１号証のＦｉｇ．１の右写真から「アルミ箔シートには気泡緩衝材に基づく凸部が形成されている」と認定しているが、当該写真からはアルミ箔シートそのものに凸部が形成されているとまでは看て取れないし、仮に気泡緩衝材に凸部が形成されていると看取できたとしても、気泡緩衝材は本件発明の断熱層に相当する部材であり遮熱層とはいえない。また、本件発明２において、本件請求項２における「遮熱層には、凸部が形成されている」との表現、及び本件明細書の「【００４５】 凹部３ａの形成方法としては、この実施形態では遮熱層３の表面を窪ませて遮熱層３に薄肉部分を形成し、この薄肉部分で凹部３ａを構成している。従って、遮熱層３の裏面（保水層２側の面）は平坦である。【００４６】遮熱層３の表面において、凹部３ａ以外の部分には凸部３ｂが形成される。従って、凸部３ｂは、凹部３ａの周囲全体に形成されることになる。」の記載、並びに図面における凸部の断面図を参酌すると、本件発明２の凸部は遮熱層そのものに形成されると解することが自然である。
　よって、本件発明２は甲１発明ではなく、また、甲１発明において相違点２に係る本件発明２の構成にすることは、当業者が容易に想到し得ることではない。
　ウ　小括
　したがって、本件発明２は甲１発明ではなく、また、本件発明２は甲１発明、及び甲第２号証に記載された事項に基いて、当業者が容易に発明をすることができたものとはいえない。
（３）本件発明３について
　本件発明３は、本件発明１又は２に従属し、本件発明１又は２の発明特定事項をすべて含むものであるから、本件発明１又は２と同様の理由（上記（１）イ、又は（２）イ参照）により、甲１発明ではなく、また、甲１発明、及び甲第２号証に記載された事項に基いて、当業者が容易に発明をすることができたものとはいえない。
（４）まとめ
　したがって、本件発明１〜３は、甲１発明ではなく、また、甲１発明、及び甲第２号証に記載された事項に基いて、当業者が容易に発明をすることができたものではなく、その特許は特許法第２９条第１項第３号及び第２９条第２項の規定に違反してされたものではない。
５　特許法第３６条第４項第１号（実施可能要件違反）、第６項第１号（サポート要件違反）、第６項第２項（明確性要件違反）について 
（１）第３６条第４項第１号（実施可能要件違反）について
　本件発明の保水層、遮熱層、凹部、凸部、断熱層等は、例えば保水層であれば水分を保持する層であるなど、特別な意味や構成を有するものではなく、当業者が技術常識に沿って理解できる範疇のものであり、そのような通常の理解の範疇を逸脱しない実施態様が本件明細書にはそれぞれ開示されているわけであるから、当業者が技術常識を考慮してその実施をすることができる程度に明確かつ十分に記載されているというべきである。
　申立人は、本件請求項１〜３に関して、「保水層」、「遮熱層」、「凹部」の形成方法、「断熱層」等について、いかなる構造、材料、方法、位置関係及び接続関係からなる構成であっても、本件特許の要件を満たすこととなるから、「請求項に上位概念の発明が記載されており、発明の詳細な説明にその上位概念に含まれる『一部の下位概念』についての実施の形態のみが実施可能に記載されている場合」に該当し、「当業者が出願時の技術常識を考慮しても実施できる程度に明確かつ十分に説明されているとはいえない具体的理由がある。」場合に該当すると主張している（申立書１７頁５行〜２０頁２２行）が、上記したとおりであり、本件発明に本件明細書の実施例以外のものが含まれ得るからといって当業者が技術常識を考慮してその実施をすることができる程度に明確かつ十分に記載されていないとはいえない。
　したがって、本件の請求項１〜３に係る特許は、特許法第３６条第４項第１号に規定する要件を満たしていないとはいえない。
（２）第３６条第６項第１号（サポート要件違反）について
　本件発明の解決しようとする課題は、申立人が申立書で主張するように「コンクリート表面において、保水効果の持続性を確保しながら、遮熱性も持たせることによって夏季の炎天下等の強い日射環境でも適切な温度範囲に保つこと」（申立書２１頁２５行〜２９行）であり、そのような課題を解決するために本件発明では、「保水層」、「遮熱層」、「凹部」、「凸部」を設けており、本件明細書の「【発明の効果】【００２３】第１の発明によれば、保水層と熱を反射する遮熱層とを有しているので、湿潤効果の持続性を確保しながら、遮熱性も持たせることができ、よって、コンクリートの打ち込み後、一定期間、温度及び湿度を適切な範囲に保つことができる。【００２４】また、遮熱層に凹部を形成したので、凹部に水を溜めることによって遮熱層が遮熱、断熱、放熱の３つの効果を奏することになる。これにより、コンクリート養生面の温度上昇を効果的に抑えることができる。また、太陽光を反射させる際に周囲の作業者が感じる眩しさを低減することもできる。【００２５】第２の発明によれば、遮熱層に凸部を形成したので、太陽光を反射させる際に周囲の作業者が感じる眩しさを低減することができる。【００２６】第３の発明によれば、保水層と遮熱層との間に断熱層を設けたので、コンクリートの温度を適切な範囲に保つことができる。」の記載等を参酌すれば、本件発明の各構成と上記課題との関係は明らかであり、また、各構成の実施例については、上記（１）でも説示したように本件明細書にそれぞれ開示されているから、本件発明は発明の詳細な説明に記載したものであることは明らかである。
　申立人は、本件請求項１〜３の記載は、「請求項に係る発明が、発明の詳細な説明において発明の課題が解決できることを当業者が認識できるように記載された範囲を超えていると判断される場合」に相当し、発明の詳細な説明に発明として記載したものと実質的に対応しているとはいえないと主張している（申立書２１頁２４行〜２３頁下から６行）が、上記したように本件発明の各構成と本件の課題との関係は明らかであり、当業者であれば課題が解決できることを認識できるように記載されているといえる。
　したがって、本件の請求項１〜３に係る特許は、特許法第３６条第６項第１号に規定する要件を満たしていないとはいえない。
（３）第３６条第６項第２項（明確性要件違反）について
　本件請求項１〜３には、「保水層」、「遮熱層」、「凹部」、「凸部」の関連構成等については明示的に記載されており、格別不明確な点は見受けられない。
　申立人は、本件請求項１〜３の記載について、「保水層と遮熱層とが一体化される」ことが含まれており、当該記載からは、保水層と遮熱層とがどのような位置関係でどのような方法を用いて一体化されるのかが明らかでなく、したがってこの発明構成要件の意味内容を理解することができない。また、「遮熱層には凹部（凸部）が形成されている」ことを発明構成要件としているが、凹部（凸部）が遮熱層のどこに形成されているのかが明らかでなく、上述した保水層と遮熟層との位置関係が不明であることが、凹部の形成される位置の理解をさらに困難にしている、と主張している（申立書２４頁９行〜２５頁２５行）が、保水層と遮熱層の位置関係や凹部（凸部）の形成位置については、技術常識や必要に応じて実施例等を参酌すれば、通常の意味で解釈することができ、発明が明確でないというものではない。
　したがって、本件の請求項１〜３に係る特許は、特許法第３６条第６項第２号に規定する要件を満たしていないとはいえない。
第３　むすび
　以上のとおりであるから、特許異議申立書に記載した特許異議申立理由、証拠によっては、本件請求項１〜３に係る特許を取り消すことはできない。
　また、他に本件請求項１〜３に係る特許を取り消すべき理由を発見しない。
　よって、結論のとおり決定する。
【異議決定日】
平成３０年１月２６日（２０１８．１．２６）